(57)【要約】【課題】プロジェクタ装置の投映映像を見る人物の耳障りにならないように冷却用ファンの回転数を自動的に制御する。【解決手段】距離測定部１１が、プロジェクタ装置１に最も近傍に位置する人物との間の距離を測定し、回転数制御部１２ａが、測定した距離に応じて該人物の耳障りにならない騒音レベルとなる回転数を算出して、システム制御部１２が、ファン用電源の駆動電圧を制御して冷却用ファン１４，１５の回転数を制御する。回転数制御部１２ａにより算出する回転数の制御範囲は、予め定めた最大回転数と最小回転数との範囲内とする。距離測定部１１は、リモコン装置から発した超音波又は極超短波帯の電磁波の測定信号を、又は、当該距離測定部１１から発した前記測定信号の人物の体から反射信号を、又は、近傍にいる人物の体から発する赤外光を、受信する受信装置１１ｂと、受信した信号の信号レベルから距離を算出する受信データ処理部１１ｃとを備える。【選択図】        図３
2005017793.tif 000002
【特許請求の範囲】
【請求項１】
映像をスクリーンに拡大投射するプロジェクタ装置において、当該プロジェクタ装置と近傍に位置する人物との間の距離を測定する距離測定手段を設け、冷却用ファンの回転数を前記距離測定手段により測定された距離に応じて制御する回転数制御手段を設けたことを特徴とするプロジェクタ装置。
【請求項２】
請求項１に記載のプロジェクタ装置において、前記距離測定手段が測定する距離は、当該プロジェクタ装置に最も近接した場所に位置する人物との間の距離であることを特徴とするプロジェクタ装置。
【請求項３】
請求項１又は２に記載のプロジェクタ装置において、前記回転数制御手段が制御する冷却用ファンの回転数が、前記距離測定手段により当該プロジェクタ装置の近傍に位置している人物の存在を検出した際に測定された距離に比例していることを特徴とするプロジェクタ装置。
【請求項４】
請求項１乃至３のいずれかに記載のプロジェクタ装置において、前記回転数制御手段が制御する冷却用ファンの回転数が、予め定められた最大回転数と最小回転数との間の制御範囲内において前記距離測定手段により測定された距離に応じて制御されることを特徴とするプロジェクタ装置。
【請求項５】
請求項１乃至４のいずれかに記載のプロジェクタ装置において、前記距離測定手段が、超音波又は極超短波帯の電磁波からなる測定信号を送信する送信手段と、当該プロジェクタ装置の近傍に位置している人物の体から該測定信号が反射されてくる反射信号を受信する受信手段と、受信した該反射信号の信号レベル、又は、該反射信号の前記測定信号の送信時からの遅延時間を計測することにより該人物との間の距離を算出する距離算出手段とを備えていることを特徴とするプロジェクタ装置。
【請求項６】
請求項１乃至４のいずれかに記載のプロジェクタ装置において、当該プロジェクタ装置の遠隔操作を行なうリモコン装置に超音波又は極超短波帯の電磁波からなる測定信号を送信する送信手段を備え、前記距離測定手段が、該リモコン装置から送信される該測定信号を受信する受信手段と、受信した該測定信号の信号レベルを計測することにより前記リモコン装置を操作する人物との間の距離を算出する距離算出手段とを備えていることを特徴とするプロジェクタ装置。
【請求項７】
請求項１乃至４のいずれかに記載のプロジェクタ装置において、前記距離測定手段が、当該プロジェクタ装置の近傍に位置している人物の体から放射されている赤外光を受信する受信手段と、受信した該赤外光の信号レベルを計測することにより該人物との間の距離を算出する距離算出手段とを備えていることを特徴とするプロジェクタ装置。
【発明の詳細な説明】
【０００１】
【発明の属する技術分野】
本発明は、映像をスクリーンに拡大投射するプロジェクタ装置に関し、特に、プロジェクタ装置から発生する騒音の制御技術に関する。
【０００２】
【従来の技術】
一般に、プロジェクタ装置は、表示素子として内蔵される液晶パネルなどの映像をランプの光によってスクリーンに拡大投射するものであるが、例えば、現行の液晶プロジェクタ装置において最も問題になっているものとして、表示素子として用いられる液晶パネルの寿命がある。液晶パネルの寿命は、ランプから発せられる光のエネルギーによって起こる化学反応によって短くなり、次に示すアレニウスモデルによる寿命予測式を適用することができる。
Ｌ＝Ａ・ｅｘｐ（Ｂ／Ｔ）
Ｌ：液晶パネルの寿命、Ａ：定数、Ｂ：定数、Ｔ：絶対温度
つまり、液晶パネルの温度を低く抑えることができればできる程、液晶パネルの寿命は延びる。
【０００３】
現状の液晶パネルの寿命予測は、ランプの寿命予測４５００時間とほぼ同等の値となっている。しかし、近年、プロジェクタ装置の長寿命化、高輝度化、小型化が益々要求されるようになってきており、次世代の高輝度モデルにおいては、約半分の２０００時間になるとの予測がある。ここで、一般に、液晶プロジェクタ装置の構造上、ランプの交換は簡単にできる構造になっているが、液晶パネルはそのような構造にはなっていなく、液晶パネルの寿命は、即、液晶プロジェクタ装置そのものの寿命を決定する要因となっている。
【０００４】
従って、通常、液晶パネルを表示素子として用いる液晶プロジェクタ装置は、冷却用ファンを内蔵して、ランプや回路基板から発せられる熱を液晶プロジェクタ装置の外部に排出して、液晶パネルを冷却するように構成されている。
ここで、冷却用ファンを目一杯に回転させて、液晶パネルをできるだけ冷却すれば、それだけ液晶パネルの寿命即ち液晶プロジェクタ装置の寿命を延ばすことが可能になる。しかし、目一杯に冷却用ファンを回転させているだけでは、冷却用ファンからの騒音の発生量は大きく、映画館や会議室などの静寂な環境の中や、街頭・店頭などで使用される場合には、プロジェクタ装置という商品としては成立し難い。
【０００５】
かかる問題を解決して、プロジェクタ装置の低騒音化を実現する技術として、例えば、特開２００３−２１８７１号公報「プロジェクタ装置」に示されているような技術がある。該公報に記載の技術は、プロジェクタ装置の外側面に、内壁に吸音材を貼付し、更に、大きな風量を送風可能な送風用ファンを内蔵した着脱自在な消音装置を備えることにより、筐体内に内蔵されている冷却用ファンから発せられる騒音を吸音するようにすると共に、冷却用ファンの回転数を消音装置の装着の有無により制御しようとするものである。
【０００６】
【特許文献１】
特開２００３−２１８７１号公報（第３−４頁、図１）
【０００７】
【発明が解決しようとする課題】
しかしながら、従来の技術では、プロジェクタ装置に関する騒音レベルに対する対策が十分になされているとは言えず、長寿命化、小型化の要求が強いプロジェクタ装置の商品としての存在価値が成立しない状況にある。例えば、プロジェクタ装置との間の距離に応じて人物の耳に到達する騒音レベルは異なるものであり、プロジェクタ装置の近傍に位置している人物は、離れた位置にいる人物よりもプロジェクタ装置からの騒音をより多く耳にすることとなり、騒音が耳障りとなって投影映像を落ち着いて鑑賞することができない状態に置かれてしまう。
【０００８】
前述の特許文献１に記載の技術は、投影映像を鑑賞する人物が位置している場所に関する考慮がなされておらず、極く近傍に位置している人物には、消音装置内に備えられている送風ファン自体から発せられる騒音までも耳障りになってしまい、根本的な解決策とはなっていない。更には、特許文献１に記載の技術は、プロジェクタ装置の外壁面に、大きな風量の送風が可能な大型の送風用ファンを内蔵した消音装置を取り付けた構造とする必要があり、プロジェクタ装置の小型化の要求を満たすことができないという問題を有している。
【０００９】
また、従来のプロジェクタ装置の中には、プロジェクタ装置の近傍に位置して投影映像を鑑賞している人物が存在している場合には、冷却用ファンからの騒音が耳障りにならないように、操作者が冷却用ファンの回転数を低速回転に強制的に切り替えるような機種も存在してはいるが、操作者が、高速・低速回転を手動操作によって切り替えるものであり、投映画像を鑑賞する人物の位置関係を絶えず観察しながら、切り替え操作をしなければならず、操作性の面で問題がある。
【００１０】
本発明は、かかる事情に鑑みてなされたものであり、プロジェクタ装置の近傍に位置する人物との間の距離を測定する距離測定手段を設け、該距離測定手段により測定された距離に応じて冷却用ファンの回転数を自動的に制御する回転数制御手段を設けることにより、近傍に位置している人物の耳に届く騒音レベルを自動的に制御可能にすることを目的としている。
【００１１】
而して、本発明に係るプロジェクタ装置は、映画館や会議室などの静寂な環境において使用する際に騒音の発生を耳障りにならないレベルに制御可能とするのみならず、例えば、店頭や街頭あるいはショーなどのように、宣伝や客寄せ等のために一日中動作させるような使用方法が適用される場合においても、当該プロジェクタ装置を観察したり投影映像を鑑賞する人物が当該プロジェクタ装置の近傍に位置している際には、当該プロジェクタ装置からの騒音が観察・鑑賞する人物の耳障りにならない程度になるように、低い回転速度で冷却用ファンを回転させ、逆に、当該プロジェクタ装置を観察したり投影映像を鑑賞する人物が当該プロジェクタ装置の近傍にいないような場合には、冷却用ファンを目一杯に回転させて、表示素子を冷却することにより表示素子の寿命ひいては当該プロジェクタ装置の寿命をできる限り延長させることを可能とすることを目的とするものである。
【００１２】
【課題を解決するための手段】
第１の技術手段は、映像をスクリーンに拡大投射するプロジェクタ装置において、当該プロジェクタ装置と近傍に位置する人物との間の距離を測定する距離測定手段を設け、冷却用ファンの回転数を前記距離測定手段により測定された距離に応じて制御する回転数制御手段を設けたプロジェクタ装置とすることを特徴とするものである。
【００１３】
第２の技術手段は、前記第１の技術手段に記載のプロジェクタ装置において、前記距離測定手段が測定する距離は、当該プロジェクタ装置に最も近接した場所に位置する人物との間の距離であるプロジェクタ装置とすることを特徴とするものである。
【００１４】
第３の技術手段は、前記第１又は第２の技術手段に記載のプロジェクタ装置において、前記回転数制御手段が制御する冷却用ファンの回転数が、前記距離測定手段により当該プロジェクタ装置の近傍に位置している人物の存在を検出した際に測定された距離に比例しているプロジェクタ装置とすることを特徴とするものである。
【００１５】
第４の技術手段は、前記第１乃至第３の技術手段のいずれかに記載のプロジェクタ装置において、前記回転数制御手段が制御する冷却用ファンの回転数が、予め定められた最大回転数と最小回転数との間の制御範囲内において前記距離測定手段により測定された距離に応じて制御されるプロジェクタ装置とすることを特徴とするものである。
【００１６】
第５の技術手段は、前記第１乃至第４の技術手段のいずれかに記載のプロジェクタ装置において、前記距離測定手段が、超音波又は極超短波帯の電磁波からなる測定信号を送信する送信手段と、当該プロジェクタ装置の近傍に位置している人物の体から該測定信号が反射されてくる反射信号を受信する受信手段と、受信した該反射信号の信号レベル、又は、該反射信号の前記測定信号の送信時からの遅延時間を計測することにより該人物との間の距離を算出する距離算出手段とを備えているプロジェクタ装置とすることを特徴とするものである。
【００１７】
第６の技術手段は、前記第１乃至第４の技術手段のいずれかに記載のプロジェクタ装置において、当該プロジェクタ装置の遠隔操作を行なうリモコン装置に超音波又は極超短波帯の電磁波からなる測定信号を送信する送信手段を備え、前記距離測定手段が、該リモコン装置から送信される該測定信号を受信する受信手段と、受信した該測定信号の信号レベルを計測することにより前記リモコン装置を操作する人物との間の距離を算出する距離算出手段とを備えているプロジェクタ装置とすることを特徴とするものである。
【００１８】
第７の技術手段は、前記第１乃至第４の技術手段のいずれかに記載のプロジェクタ装置において、前記距離測定手段が、当該プロジェクタ装置の近傍に位置している人物の体から放射されている赤外光を受信する受信手段と、受信した該赤外光の信号レベルを計測することにより該人物との間の距離を算出する距離算出手段とを備えているプロジェクタ装置とすることを特徴とするものである。
【００１９】
【発明の実施の形態】
以下、適宜図面を参照しながら本発明に係るプロジェクタ装置の実施例について詳述する。
図１は、本発明に係るプロジェクタ装置の一設置例を示す側面図である。
図１に示すプロジェクタ装置１は、天吊り金具２等の治具を用いて、天井等に固定して設置されており、プロジェクタ装置１の投影レンズの投射方向即ち図１の左側に配設されたスクリーン３に対して映像を投影する場合を示している。
【００２０】
ここで、プロジェクタ装置１が、下の床面にいる人物４とは十分な距離を保つことができる距離に吊下されていて、プロジェクタ装置１に内蔵された距離測定用センサには人物４を感知することはできないか、又は、プロジェクタ装置１が人物４は冷却用ファンが発する騒音を感知できないほど十分に離れた距離にあると認識された場合には、プロジェクタ装置１を十分に冷却することができるように、冷却用ファンを高速回転速度にて回転させることができる。
【００２１】
かかる場合においては、プロジェクタ装置１の下側にいる人物４も、プロジェクタ装置１から十分な距離にいるため、高速回転速度にて回転するプロジェクタ装置１の冷却用ファンからの騒音を耳障りに感じることはなく、スクリーン３に投影された映像を集中して鑑賞することができる。
【００２２】
図２は、本発明に係るプロジェクタ装置の他の設置例を示す側面図である。
図２に示すプロジェクタ装置１は、テーブル５等を用いて、床面付近に固定して設置されており、プロジェクタ装置１の投影レンズの投射方向即ち図２の右側に配設されたスクリーン６に対して映像を投影する場合を示している。
【００２３】
ここで、プロジェクタ装置１が、床面にいる人物４とは十分な距離を保つことができない距離に置かれている場合も存在し、プロジェクタ装置１に内蔵された距離測定用センサは近傍にいる人物４の存在を感知して、プロジェクタ装置１が人物４とは十分離れた距離にはないと認識された場合には、認識された距離に応じて、プロジェクタ装置１を冷却する冷却用ファンを低速回転速度にて回転させるように制御する。
【００２４】
かかる場合においては、プロジェクタ装置１の近傍にいる人物４は、プロジェクタ装置１から近い距離に位置しているものの、距離測定用センサによって人物４を感知して低速回転速度にて回転するように制御された冷却用ファンからの騒音を耳障りに感じることもなく、スクリーン６に投影された映像を集中して鑑賞することができる。
【００２５】
ここで、人物４がプロジェクタ装置１の近傍に存在するか否かを測定する距離測定用センサとしては、該距離測定用センサから、直進性・反射性の良い超音波もしくは数ＧＨｚ程度の極超短波帯の電磁波を測定信号として発して、人物４の体に当たって反射されてくる反射波即ち反射信号の信号レベルの絶対値や信号レベルの変化、又は、該反射信号の前記測定信号の送信時からの遅延時間を計測して、プロジェクタ装置１と人物４との間の距離を算出することにより、プロジェクタ装置１の周囲に人物４が近接して位置していたり、接近してきていることを検出することができる。
【００２６】
あるいは、該距離測定用センサとして人物４の体が発する赤外光に対する感度を高めたセンサを用いて、人体が発する赤外光の信号レベルの絶対値や信号レベルの変化を計測して、プロジェクタ装置１と人物４との間の距離を算出することにより、プロジェクタ装置１の周囲に人物４が近接して位置していたり、接近してきていることを検出することも可能である。
【００２７】
あるいは、プロジェクタ装置１の操作者は、通常、プロジェクタ装置１を遠隔操作可能なリモコン装置を用いて操作することが多いが、該リモコン装置に、直進性・反射性の良い超音波もしくは数ＧＨｚ程度の極超短波帯の電磁波を発する送信装置を設けて、該送信装置から発せられた超音波もしくは電磁波の信号レベルの絶対値や信号レベルの変化を、プロジェクタ装置１に内蔵された距離測定用センサによって計測して、プロジェクタ装置１とリモコン装置との間の距離を算出することにより、プロジェクタ装置１とリモコン装置の操作者との距離を算出して、プロジェクタ装置１の周囲に該操作者が近接して位置していたり、接近してきていることを検出することも可能である。
【００２８】
図３は、本発明に係るプロジェクタ装置の回路ブロックの一例を示すブロック構成図である。図３においては、人物と当該プロジェクタ装置１との間の距離を測定するための距離測定用センサ即ち距離測定部１１の一例として、操作者が所持するリモコン装置（図示していない）から測定信号として発せられる超音波もしくは電磁波を受信装置１１ｂにより受信して、受信した測定信号の信号レベルの絶対値や信号レベルの変化に基づいて、操作者とプロジェクタ装置１との間の距離を受信データ処理部１１ｃにより算出する場合について示している。
【００２９】
ここで、図３に示すプロジェクタ装置１は、操作者のリモコン装置の操作に基づいて、システム制御部１２は、ランプ用電源１６の点・消灯及び輝度を制御して、ランプ１７からの光により表示素子１８の映像を投影レンズ１９を介してスクリーンに対して拡大投影することを制御すると共に、更に、システム制御部１２内の回転数制御部１２ａによりファン用電源１３のモータ駆動電圧を制御して、ランプ１７や回路基板などの発熱体から発せられる熱を排出して、ランプ１７、及び、回路基板や表示素子１８のそれぞれを冷却するために冷却用ファン１４及び１５を所望の回転速度で回転するように制御している。
【００３０】
図３において、距離測定部１１は、前述のように、受信装置１１ｂと受信データ処理部１１ｃとから構成されており、リモコン装置から測定信号として送信されてくる超音波もしくは電磁波を受信装置１１ｂにより受信して、受信された測定信号の信号レベルが、受信データ処理部１１ｃに送られる。受信データ処理部１１ｃにおいては、測定信号の信号レベルの絶対値や信号レベルの変化に基づいて、リモコン装置の操作者である人物と当該プロジェクタ装置１との間の距離を算出し、算出した該距離をシステム制御部１２に送出する。
【００３１】
システム制御部１２においては、距離測定部１１から送出されてきた前記距離を、回転数制御部１２ａに引き継ぐ。回転数制御部１２ａは、引き継がれてきた前記距離に応じて、予め定められた最大回転数と最小回転数との間の予め定められた制御範囲内において、冷却用ファン１４及び１５のそれぞれの回転数を制御する。即ち、引き継がれてきた前記距離に基づいて、冷却用ファン１４，１５の回転数を変更制御する必要がある位置に操作者がプロジェクタ装置１に近接して位置しているか否かを判別し、回転数の変更を要する位置に人物４が存在していると判定した場合は、ファン用電源１３の駆動電圧を制御するための制御データをシステム制御部１２に返送する。
【００３２】
システム制御部１２は、受信した制御データに基づいて、ファン用電源１３の駆動電圧を変更制御すると共に、ランプ１７の明度の変更の是非を判定して、ランプ用電源１６の駆動電圧を変更制御する。而して、距離測定部１１によって検出されたリモコン装置の操作者とプロジェクタ装置１との間の距離に応じて、ランプ用電源１６により駆動されるランプ１７の明度が変更制御されると共に、ファン用電源１３の駆動電圧により駆動される冷却用ファン１４，１５の回転数が変更制御された状態に設定される。
【００３３】
以上のように、人物４がプロジェクタ装置１からの騒音が耳障りに感じるほどにプロジェクタ装置１の周辺には近接して位置しているということが距離測定部１１により検出されない場合には、システム制御部１２は、ランプ用電源１６の駆動電圧を制御し、ランプ１７を通常の高輝度状態に設定すると共に、ファン用電源１３の駆動電圧をも制御し、ランプ１７及び回路基板や表示素子１８をそれぞれ冷却する冷却用ファン１４及び１５の回転数を通常の状態に設定することにより、ランプ１７及び回路基板や表示素子１８に対する冷却用の風量が多く、ランプ１７の高輝度状態に対応して適切な冷却を行なうことができる。
【００３４】
一方、人物４がプロジェクタ装置１からの騒音が耳障りに感じるほどにプロジェクタ装置１の周辺に近接して位置しているということが距離測定部１１により検出された場合には、システム制御部１２は、距離測定部１１により検出された距離に応じて、ランプ用電源１６の駆動電圧を制御し、ランプ１７を通常よりも明度が低い状態に設定すると共に、ファン用電源１３の駆動電圧をも制御し、ランプ１７及び回路基板や表示素子１８をそれぞれ冷却する冷却用ファン１４及び１５の回転数を、予め定められた制御範囲内において通常状態よりも低速回転側に減少させることにより、ランプ１７及び回路基板や表示素子１８に対する冷却用の風量を減少させ、ランプ１７及び回路基板や表示素子１８に必要な冷却を行ないつつ、冷却用ファン１４及び１５から発せられる騒音を低減させる。
【００３５】
なお、以上の説明においては、説明を簡素化するために、プロジェクタ装置１内部の温度に関する説明を割愛したが、本発明に係るプロジェクタ装置１においては、人物４とプロジェクタ装置１との間の距離だけではなく、プロジェクタ装置１内部の装置内部温度をも合わせて測定しており、システム制御部１２は、装置内部温度に応じて、回転数制御部１２ａから出力されてくる制御データ（即ち、ランプ用電源１６及びファン用電源１３の駆動電圧を制御するために算出された制御データ）に対して、必要により変更処理を施すことも可能である。
【００３６】
また、図３においては、距離測定部１１の一例として、操作者が所持するリモコン装置（図示していない）の送信装置から測定信号として発せられる超音波もしくは電磁波を受信装置１１ｂにより受信して、受信データ処理部１１ｃにより、受信した測定信号の信号レベルの絶対値や信号レベルの変化に基づいて、リモコン装置の操作者とプロジェクタ装置１との間の距離を算出する場合について説明した。
【００３７】
しかし、本発明に係るプロジェクタ装置１における距離測定部１１は、かかる場合のみに限られるものではなく、前述したように、距離測定部１１自身に、超音波もしくは電磁波を測定信号として発する送信装置を内蔵させ、内蔵した送信装置から発せられた測定信号が近傍に位置する人物の体によって反射されてくる反射信号を、内蔵された受信装置により受信して、受信データ処理部により、受信した該反射信号の信号レベルの絶対値や信号レベルの変化、又は、該反射信号の前記測定信号の送信時からの遅延時間に基づいて、人物とプロジェクタ装置１との間の距離を算出するように構成しても良いし、あるいは、距離測定部１１に、当該プロジェクタ装置１の近傍に位置している人物の体から放射されている赤外光を受信する受信装置を備え、受信データ処理部により、該受信装置が受信した赤外光の信号レベルの絶対値や信号レベルの変化に基づいて、人物とプロジェクタ装置１との間の距離を算出するように構成しても良い。
【００３８】
而して、映画館や会議室などの静寂な環境において使用する際にあっても、冷却用ファン１４，１５からの騒音の発生を耳障りにならない騒音レベルに制御可能とするのみならず、例えば、店頭や街頭あるいはショーなどのように、宣伝や客寄せ等のために一日中動作させるような使用方法が適用される場合においても、当該プロジェクタ装置１を観察したり投影映像を鑑賞する人物が当該プロジェクタ装置１の近傍に位置している場合には、当該プロジェクタ装置１からの騒音が観察・鑑賞する人物の耳障りにならない程度になるように、最も近接して位置している人物からの距離に応じて、低い回転速度で冷却用ファン１４，１５を回転させ、逆に、当該プロジェクタ装置１を観察したり投影映像を鑑賞する人物が当該プロジェクタ装置１の近傍には位置していないような場合には、冷却用ファン１４，１５を目一杯に回転させて、表示素子１８を冷却することにより表示素子１８の寿命引いては当該プロジェクタ装置１の寿命をできる限り延長させることを可能としている。
【００３９】
次に、以上に説明した回転数制御部１２ａにより制御される冷却用ファン１４及び１５の回転数の状況について、図４を用いて更に説明する。図４は、冷却用ファン１４及び１５の回転数を制御する様子を模式的に説明するためのグラフを示している。図４（Ａ）は、ファン用電源１３のモータ駆動電圧Ｖと冷却用ファン１４又は１５のファン回転数ｒとの関係を模式的に示し、図４（Ｂ）は、冷却用ファン１４又は１５のファン回転数ｒと該冷却用ファン１４又は１５から発せられる発生騒音レベルＮとの関係を模式的に示し、図４（Ｃ）は、プロジェクタ装置１からの距離ｄと該距離に位置する人物が耳障りとは感じなくなる騒音レベル（プロジェクタ装置１の設置環境により異なる騒音レベル）が得られる冷却用ファン１４又は１５の許容騒音レベルＬとの関係を模式的に示している。
【００４０】
即ち、図４（Ａ）に示すように、冷却用ファン１４又は１５のファン回転数ｒとして、最小回転数ｒｍｉｎと最大回転数ｒｍａｘとの間の予め定められた制御範囲内において所望の回転数ｒが得られるように、ファン用電源１３のモータ駆動電圧Ｖが、最小駆動電圧Ｖｍｉｎと最小駆動電圧Ｖｍａｘとの間で、回転数制御部１２ａからの制御データにより制御され、回転子との間に介在する抵抗成分が小さい限り、モータ駆動電圧Ｖに略比例したファン回転数ｒ即ち回転速度にて冷却用ファン１４又は１５は回転する。
【００４１】
また、図４（Ｂ）に示すように、冷却用ファン１４又は１５の回転によって発生される騒音レベルＮは、騒音周波数成分と共に、冷却用ファン１４又は１５のファン回転数ｒの変化によって変化するが、例えば、数十乃至数千Ｈｚ程度の可聴周波数成分の騒音レベルについては、本発明に係るプロジェクタ装置１に適用される最小回転数ｒｍｉｎと最大回転数ｒｍａｘとの間のファン回転数ｒに略比例して、最小騒音レベルＮｍｉｎと最大騒音レベルＮｍａｘとの間の騒音レベルＮが発生する。
【００４２】
また、投影映像を鑑賞する人物の耳には耳障りではない程度の騒音レベルとなる冷却用ファン１４又は１５が発する許容騒音レベルＬは、プロジェクタ装置１の設置環境に依存して変化するものであるが、例えば、５〜６ｍ３程度以上の音場空間内に設置されるような場合にあっては、プロジェクタ装置１に最も近接した位置に存在する人物４であっても、投影映像を鑑賞する際に耳障りではない程度の騒音レベルとなるような冷却用ファン１４又は１５の許容騒音レベルＬは、図４（Ｃ）に示すように、プロジェクタ装置１と人物４との間の距離に略比例しており、距離ｄが離れるほど、大きな騒音レベルであっても減衰量が大きくなるので、近傍に位置している場合に比して、冷却用ファン１４又は１５が発する許容騒音レベルＬが大きなレベルまで許容することが可能である。
【００４３】
即ち、図４（Ａ）乃至図４（Ｃ）に示すように、距離測定部１１によって人物の存在が検出された際のプロジェクタ装置１と人物４との間の距離に比例して、冷却用ファン１４又は１５の回転数をシステム制御部１２の回転制御部１２ａにより算出して、ファン用電源１３の駆動電圧を制御することにより、当該プロジェクタ装置１の冷却用ファン１４及び１５が発する騒音を、耳障りとならない信号レベルに制御することが可能である。ここで、冷却用ファン１４及び１５が発する騒音レベルが耳障りにならない状態に設定せんとする場合、前述のごとく、人物４との間の距離に略比例するものの、厳密には、完全に比例するものではない。しかし、当該プロジェクタ装置１を設置するような一般的な設置環境にあっては、当該プロジェクタ装置１の冷却用ファン１４及び１５が発する可聴周波数帯の騒音レベルは、冷却用ファン１４及び１５の回転数に比例して大きくなり、かつ、冷却用ファン１４及び１５が発する騒音レベルの減衰量は、距離に比例して減衰するものとして扱っても特に支障が生ずるものでもなく、更には、人物４との間の距離に比例して冷却用ファン１４及び１５の回転数を制御する制御方法を採用することにより、制御がより簡易化できるメリットも得られる。
【００４４】
なお、設置環境として、静寂な室内（映画館や会議室など）に設置する場合と、背景騒音が大きな街頭や店頭などに設置する場合とでは、冷却用ファン１４又は１５に許容される許容騒音レベルＬの絶対値に違いは生ずるものの、背景騒音レベルが当該プロジェクタ装置１が設置される空間内において略均一なレベルにあれば、図４（Ｃ）に示すように、許容騒音レベルＬは、プロジェクタ装置１と人物４との間の距離に略比例していると見なすことができる。
【００４５】
図５は、本発明に係るプロジェクタ装置１に内蔵される距離測定部の配置を模式的に示した配置図である。図５のプロジェクタ装置１においては、前述のごとき３種類の距離測定部１１，１１′，１１″が混載されて、それぞれ、距離測定部１１が図５の上方向に向けて、距離測定部１１′が図５の左方向と下方向とに向けて、距離測定部１１″が図５の右方向に向けて、プロジェクタ装置１の４つの各方向に対して配置されている実施例を示している。本発明に係るプロジェクタ装置１は、かくのごとく複数種類の距離測定部１１，１１′，１１″全てが混載されて、全ての方向に対して配置されている場合のみに限るものではなく、距離測定部１１，１１′，１１″のうちいずれか１乃至複数種類の距離測定部が、当該プロジェクタ装置１の周辺に人物が位置することができる空間が生じる全ての方向、即ち、４つの方向のいずれか１乃至複数の方向に配置されるように構成しても良い。
【００４６】
なお、図５において、距離測定部１１は、リモコン装置２１に搭載されている送信装置２１ａから測定信号２２として送信されてくる超音波又は数ＧＨｚの電磁波を受信する受信装置１１ｂが内蔵されて、リモコン装置２１を所持する人物４との間の距離を受信データ処理部１１ｃによって算出することが可能な距離測定用センサを示している。また、距離測定部１１′は、超音波又は数ＧＨｚ帯の電磁波を測定信号２２ａとして送信する送信装置１１ａ′と、該測定信号２２ａが人物４′の体に当たって反射されてくる反射信号２２ｂを受信する受信装置１１ｂ′と、が内蔵されて、該測定信号２２ａを反射した人物４′との間の距離を受信データ処理部１１ｃ′によって算出することが可能な距離測定用センサを示している。また、距離測定部１１″は、近傍に位置する人物４″の体から発せられる赤外光２３を測定信号として受信する受信装置１１ｂ″が内蔵されて、近傍に位置する人物４″との間の距離を受信データ処理部１１ｃ″によって算出することが可能な距離測定用センサを示している。
【００４７】
ここで、当該プロジェクタ装置１を囲む４つの方向に配置された距離測定部１１，１１′，１１″によりそれぞれ測定される人物４，４′，４″との間の距離は、それぞれの方向において受信装置１１ｂ，１１ｂ′，１１ｂ″が受信する信号の信号レベルが最も大きい人物４，４′，４″即ちプロジェクタ装置１に最も近接した位置にいる人物４，４′，４″との間の距離を算出しているものであり、距離測定部１１，１１′，１１″によって算出されたそれぞれの方向に関する該距離は、システム制御部１２に対して送出される。システム制御部１２内の回転数制御部１２ａにおいては、当該プロジェクタ装置１を囲む複数の方向（図５の場合は、図５の上下左右の４つの方向）それぞれの距離測定部１１，１１′，１１″により算出された人物４，４′，４″との間の距離の中から、最も近接した場所に位置している人物との間の距離を検出して、最も近接している距離に関する情報に基づいて、ファン用電源１３の駆動電圧を制御するための制御データが算出される。
【００４８】
【発明の効果】
本発明に係るプロジェクタ装置は、以上に詳述したように構成されているので、当該プロジェクタ装置と人物との間の距離が十分に離れている状態で映像が投影されている場合には、冷却用ファンの回転数を通常状態の回転数に設定して、ランプや回路基板や表示素子を十分に冷却する一方、当該プロジェクタ装置の近傍に人物が位置していることが感知された場合には、人物との間の距離に応じて冷却用ファンの回転数を自動的に減少させることにより、冷却用ファンからの耳障りな騒音を低減させ、近傍に位置している人物に対する耳障りな騒音の発生を確実に抑止することができる。
【００４９】
更には、例えば、店頭や街頭、あるいは、ショーなどにおいて、宣伝や客寄せ等のために一日中動作させるような使用方法が適用される場合であっても、当該プロジェクタ装置を観察したり投影映像を鑑賞する人物が当該プロジェクタ装置の近傍に位置している場合には、当該プロジェクタ装置からの騒音が観察・鑑賞する人物の耳障りにならない程度の低い回転数で冷却用ファンを回転させ、当該プロジェクタ装置を観察したり投影映像を鑑賞する人物が当該プロジェクタ装置の近傍に存在していないような場合には、冷却用ファンを目一杯に回転させて、表示素子を冷却することにより表示素子の寿命ひいては当該プロジェクタ装置の寿命をできる限り延長させることが可能である。
【図面の簡単な説明】
【図１】本発明に係るプロジェクタ装置の一設置例を示す側面図である。
【図２】本発明に係るプロジェクタ装置の他の設置例を示す側面図である。
【図３】本発明に係るプロジェクタ装置の回路ブロックの一例を示すブロック構成図である。
【図４】冷却用ファンの回転数を制御する様子を模式的に説明するためのグラフである。
【図５】本発明に係るプロジェクタ装置に内蔵される距離測定部の配置を模式的に示した配置図である。
【符号の説明】
１…プロジェクタ装置、２…天吊り金具、３…スクリーン、４，４′，４″…人物、５…テーブル、６…スクリーン、１１，１１′，１１″…距離測定部、１１ａ′…送信装置、１１ｂ，１１ｂ′，１１ｂ″…受信装置、１１ｃ，１１ｃ′，１１ｃ″…受信データ処理部、１２…システム制御部、１２ａ…回転数制御部、１３…ファン用電源、１４，１５…冷却用ファン、１６…ランプ用電源、１７…ランプ、１８…表示素子、１９…投影レンズ、２１…リモコン装置、２１ａ…送信装置、２２，２２ａ…測定信号、２２ｂ…反射信号、２３…赤外光。
【図１】
2005017793.tif 000003
【図２】
2005017793.tif 000004
【図３】
2005017793.tif 000005
【図４】
2005017793.tif 000006
【図５】
2005017793.tif 000007